(57)【要約】【課題】携帯電話端末で電波状態が悪い場合、限られた範囲内で最も電界強度レベルが大きい場所を簡易的に検索する。【解決手段】無線部２の中の電界強度検出部２１は電界強度レベルを検出する。信号生成部３は電界強度検出部２１により検出した電界強度レベルを通知するための信号を生成する。スピーカ部４は電界強度レベルを音で出力し、ＬＣＤ部５は電界強度レベルを視覚的に表示する。メモリ部６は携帯電話端末動作のためのプログラムを格納ならびに基準となる電界強度レベルおよび移動時に検出した電界強度レベルを記憶しておく。中央制御部７は、メモリ部６からこれら両方の電界強度レベルを読み出して比較しその結果を音量あるいは表示によってスピーカ部４あるいはＬＣＤ部５に通知出力する。【選択図】      図１
2004201016.tif 000002
【特許請求の範囲】
【請求項１】
電界強度検出機能を有する携帯電話端末であって、所定の動作モードで基準として設定された電界強度レベルと、この携帯電話端末で移動時に検出した電界強度レベルとを比較し、その結果を音量により通知出力する制御手段を備えることを特徴とする携帯電話端末。
【請求項２】
電界強度検出機能を有する携帯電話端末であって、所定の動作モードで基準として設定された電界強度レベルと、この携帯電話端末で移動時に検出した電界強度レベルとを比較し、その結果を表示により通知出力する制御手段を備えることを特徴とする携帯電話端末。
【請求項３】
電界強度検出機能を有する携帯電話端末であって、所定の動作モードで基準として設定された電界強度レベルと、この携帯電話端末で移動時に検出した電界強度レベルとを比較し、その結果を音量による通知および表示による通知のいずれか一方を選択し出力する制御手段を備えることを特徴とする携帯電話端末。
【請求項４】
前記制御手段は、通話が途切れ易くなる場所での電界強度レベルを保存しておき、この保存された電界強度レベル以下になった場合には警告音を出力することを特徴とする請求項１または請求項３記載の携帯電話端末。
【請求項５】
前記制御手段は、通話が途切れ易くなる場所での電界強度レベルを保存しておき、この保存された電界強度レベル以下になった場合には警告表示を行うことを特徴とする請求項２または請求項３記載の携帯電話端末。
【請求項６】
電界強度レベルを検出する電界強度検出手段と、前記電界強度検出手段により検出した電界強度レベルを通知するための信号を生成する信号生成手段と、電界強度レベルを音で出力する拡声手段と、電界強度レベルを視覚的に表示する表示手段と、携帯電話端末動作のためのプログラムを格納ならびに基準となる電界強度レベルおよび移動時に検出した電界強度レベルを記憶しておくための記憶手段と、前記記憶手段からこれら両方の電界強度レベルを読み出して比較しその結果を音量あるいは表示によって前記拡声手段あるいは表示手段に通知出力する制御手段とを備えることを特徴とする携帯電話端末。
【請求項７】
電界強度レベル検出機能を有しその検出レベルを通知出力する携帯電話端末における電界強度通知方法であって、電界強度を検索する際、操作入力により電界強度検出モードを設定するステップと、音量による通知および表示による通知のいずれか一方を選択するステップと、現在の電界強度レベルを検出するステップと、音量による通知の場合、スピーカから一定信号のレベルの音を送出して現状の電界強度レベルの音量をキー操作により決定するステップと、表示による通知の場合、電界強度レベルを検出しそのレベルを０に設定するステップと、この状態で限られた範囲内移動時の電界強度レベルを常時検出しこの検出したレベルが基準として設定した電界強度レベルと比較し大きいときには音量あるいは表示数字を大きくし逆に小さいときには音量あるいは表示数字を小さくするステップと、移動時の電界強度レベルが最大となったときの値をメモリに保存するステップと、音量による通知の場合、検出中一時中断し検出開始後の最もレベルが大きいときの音量を出力させこの確認後に再び検出を開始するステップと、表示による通知の場合、検出開始後の最もレベルが大きいときの表示を合わせて表示するステップとを有することを特徴とする携帯電話端末における電界強度通知方法。
【請求項８】
通話が途切れ易くなる場所での電界強度レベルを保存するステップと、この保存された電界強度レベル以下になった場合には警告音を出力するステップとを有することを特徴とする請求項７記載の携帯電話端末における電界強度通知方法。
【請求項９】
通話が途切れ易くなる場所での電界強度レベルを保存するステップと、この保存された電界強度レベル以下になった場合には警告表示を行うステップとを有することを特徴とする請求項７記載の携帯電話端末における電界強度通知方法。
【発明の詳細な説明】
【０００１】
【発明の属する技術分野】
本発明は携帯電話端末に関し、特に近傍の電界強度を測定しそのレベルを通知する携帯電話端末における電界強度通知機能に関する。
【０００２】
【従来の技術】
従来、ホテルおよびアパート等で電界強度が弱い場合、使用場所によっては着信がかからない、または通話が途中で何度も切れるという現象が現れてしまう。通常、電界強度はＬＣＤ表示部で確認できるが、詳しい情報は分からない。この携帯電話端末に表示されているだけのおおまかな電界強度だけでは、電界強度のレベルは判断できないのが実情である。この種の現象に対処するため、通話中に測定した電界強度レベルに応じて音量を小さくして携帯電話端末の使用者に通知している（例えば、特許文献１）。また、電界強度測定装置で電界レベルを測定し、閾値と比較して最大値を記憶し表示している（例えば、特許文献２）。
【０００３】
【特許文献１】
特開平０６−０１３９７６（段落番号０００６、図１）
【特許文献２】
特開２００１−２８１２８７（段落番号００１９〜００２２）
【０００４】
【発明が解決しようとする課題】
上述した従来技術のうち前者では、通話中の音量変化による方法なので、話し方によっては音量が分りにくいという問題があり、また後者では、電界強度レベルの最大値を記憶しているものの、この最大値を有効に活用しておらず、電界強度レベルの弱い限られた範囲で、端末使用者に対し適切な場所への移動を促すための簡易的な手法が求められている。
【０００５】
本発明の目的は、電波状態が悪い場合、限られた範囲内で最も電界強度レベルが大きい場所を簡易的に検索することが可能な携帯電話端末およびその電界強度通知方法を提供することにある。
【０００６】
【課題を解決するための手段】
本発明の携帯電話端末は、電界強度検出機能を有する携帯電話端末であって、所定の動作モードで基準として設定された電界強度レベルと、この携帯電話端末で移動時に検出した電界強度レベルとを比較し、その結果を音量により通知出力する制御手段を備える。また、所定の動作モードで基準として設定された電界強度レベルと、この携帯電話端末で移動時に検出した電界強度レベルとを比較し、その結果を表示により通知出力する制御手段を備える構成としてもよいし、所定の動作モードで基準として設定された電界強度レベルと、この携帯電話端末で移動時に検出した電界強度レベルとを比較し、その結果を音量による通知および表示による通知のいずれか一方を選択し出力する制御手段を備える構成としてもよい。  前記制御手段は、通話が途切れ易くなる場所での電界強度レベルを保存しておき、この保存された電界強度レベル以下になった場合には警告音を出力する構成としてもよいし、あるいは前記制御手段は、通話が途切れ易くなる場所での電界強度レベルを保存しておき、この保存された電界強度レベル以下になった場合には警告表示を行う構成としてもよい。
【０００７】
本発明の携帯電話端末は、電界強度レベルを検出する電界強度検出手段と、前記電界強度検出手段により検出した電界強度レベルを通知するための信号を生成する信号生成手段と、電界強度レベルを音で出力する拡声手段と、電界強度レベルを視覚的に表示する表示手段と、携帯電話端末動作のためのプログラムを格納ならびに基準となる電界強度レベルおよび移動時に検出した電界強度レベルを記憶しておくための記憶手段と、前記記憶手段からこれら両方の電界強度レベルを読み出して比較しその結果を音量あるいは表示によって前記拡声手段あるいは表示手段に通知出力する制御手段とを備える。
【０００８】
本発明の携帯電話端末における電界強度通知方法は、電界強度レベル検出機能を有しその検出レベルを通知出力する携帯電話端末における電界強度通知方法であって、電界強度を検索する際、操作入力により電界強度検出モードを設定するステップと、音量による通知および表示による通知のいずれか一方を選択するステップと、現在の電界強度レベルを検出するステップと、音量による通知の場合、スピーカから一定信号のレベルの音を送出して現状の電界強度レベルの音量をキー操作により決定するステップと、表示による通知の場合、電界強度レベルを検出しそのレベルを０に設定するステップと、この状態で限られた範囲内移動時の電界強度レベルを常時検出しこの検出したレベルが基準として設定した電界強度レベルと比較し大きいときには音量あるいは表示数字を大きくし逆に小さいときには音量あるいは表示数字を小さくするステップと、移動時の電界強度レベルが最大となったときの値をメモリに保存するステップと、音量による通知の場合、検出中一時中断し検出開始後の最もレベルが大きいときの音量を出力させこの確認後に再び検出を開始するステップと、表示による通知の場合、検出開始後の最もレベルが大きいときの表示を合わせて表示するステップとを有する。また、通話が途切れ易くなる場所での電界強度レベルを保存するステップと、この保存された電界強度レベル以下になった場合には警告音を出力するステップとを有する構成としてもよいし、保存された電界強度レベル以下になった場合には警告表示を行うステップとを有する構成としてもよい。
【０００９】
本発明によれば、本発明は携帯電話端末において、電界強度の弱い特定の場所の中で電界強度レベルを音量または表示により通知する手段を設ける。これにより、限られた電界強度の弱い場所の中で最も電界レベルが高い場所を簡易的に検索することが可能となり、その場所で通話することにより途中で通話が途切れる現象を少なくすることができる。
【００１０】
【発明の実施の形態】
次に、本発明の実施の形態について図面を参照して詳細に説明する。
【００１１】
図１を参照すると、携帯電話端末１０が基地局２０と通信している図を示しており、携帯電話端末１０は、アンテナ部１と、無線部２と、信号生成部３と、スピーカ部４と、Ｌｉｑｕｉｄ  Ｃｒｙｓｔａｌ  Ｄｉｓｐｌａｙ（ＬＣＤ：液晶表示）部５と、メモリ部６と、中央制御部７とを備える。無線部２の中の電界強度検出部２１は電界強度レベルを検出する。信号生成部３は電界強度検出部２１により検出した電界強度レベルを通知するための信号を生成する。スピーカ部４は電界強度レベルを音で出力し、ＬＣＤ部５は電界強度レベルを視覚的に表示する。メモリ部６は携帯電話端末動作のためのプログラムを格納ならびに基準となる電界強度レベルおよび移動時に検出した電界強度レベルを記憶しておく。中央制御部７は、メモリ部６からこれら両方の電界強度レベルを読み出して比較しその結果を音量あるいは表示によってスピーカ部４あるいはＬＣＤ部５に通知出力する。
【００１２】
次に、本発明の実施の形態に係わる動作について図１および図２を参照して説明する。電界強度が弱い特定の限られた場所、例えばホテルの部屋やアパート等において、電界強度を検索する際、携帯電話端末の使用者はキー操作により電界強度検出モードに設定し（ステップ１：Ｓ１と略称。以下同様）、音量による通知か表示による通知かのいずれか一方を選択する（Ｓ２）。中央制御部７は電界強度検出部２１で検出した現在いる場所での電界レベルを検出する（Ｓ３）。音量による通知の場合、信号生成部３はスピーカ４から送出される一定信号のレベルを送出し（Ｓ４）、現状の電界強度の音量をキー操作により決定する（Ｓ５）。この一定信号を使用することで、音量の変化が分り易くなる。表示による通知の場合には、電界強度のレベルを検出し（Ｓ３）、そのレベルを分かりやすい”０”等に決定する（Ｓ６）。
【００１３】
レベル設定が完了した状態で、使用者は限られた範囲内を移動する（Ｓ７）。その時、中央制御部７は電界強度検出部２１が検出するレベルを常に検出する。検出したレベルが最初に設定された電界強度レベルと比較して大きい場合は音量またはＬＣＤ表示の数字を大きく、逆に電界強度が小さい場合には音量、表示の数字を小さくする（Ｓ８）。また、移動を開始してから電界強度レベルが最大となる時の値をメモリ部６に保存する（Ｓ９）。表示による通知の場合、電界強度レベルを常に検出しているが、検出を開始してから最もレベルが大きい時の結果を合わせて表示する（Ｓ１１）。これにより、現在いる場所の電界強度が最大かどうか判断し易くなる。音量による通知の場合は、検出中に測定を一時中断し、検出を開始してから最もレベルが大きい時の音量を呼び出すことを可能とし、確認後、再び検出を開始する（Ｓ１０）。このようにして電界強度レベルの最も大きい場所を検索する。
【００１４】
次に、他の実施例について説明する。上述した方法で通話が途切れやすくなる場所の電界強度レベルを検出し、結果をメモリ部６に保存しておく。中央制御部７は常に電界強度検出部２１で検出した値と保存されている値とを比較し、検出レベルが保存されている値以下になるとＬＣＤ部５による警告表示またはスピーカ部４から警告音を送出する。これにより、電波状況が悪い場所に移動した場合において、通話が途切れ易くなるレベルになったことを使用者は知ることができる。
【００１５】
【発明の効果】
以上説明したように本発明によれば、電界強度が弱い特定の限られた場所において、細かい電界強度レベルを音量または表示により使用者に通知する。これにより、限られた範囲内での最も電界強度レベルが大きい場所を簡易的に検索することが可能となる。したがって、検索した電界強度レベルが大きい場所にて待ち受け、または通話することにより、発着信できなくなることや通話が途切れるという現象を少なくすることができる。
【図面の簡単な説明】
【図１】本発明の実施の形態に係わる携帯電話端末の構成を示す図である。
【図２】本発明の実施の形態に係わる動作を説明するためのフローチャートである。
【符号の説明】
１    アンテナ部
２    無線部
３    信号生成部
４    スピーカ部
５    ＬＣＤ部
６    メモリ部
７    中央制御部
２１  電界強度検出部
【図１】
2004201016.tif 000003
【図２】
2004201016.tif 000004